(57)【要約】【課題】水道水を貯水容器に直結して常に新鮮な水を確保しておける災害対策器具と、花壇の散水等に利用するなどの常用器具を併用して用いるようにした貯水用容器の簡易的な逆止弁を提供する。【解決手段】逆止弁７は、排水用管６の上部を薄肉の盲管８に成型してその盲管の根元部の切り割り部位置にくびれ９をつけて、さらに薄肉に成型した位置にカッターナイフ等で加工した切り割り１０を備えた。また、逆止弁７の上部には弁と一体に突出して備えた薄肉のヒレ１４を形成させ、ヒレ先端が排水用連結ホース１２の内壁に圧接させて備えた貯水用容器の簡易的な逆止弁とした。【選択図】  図２
2004347102.tif 000002
【特許請求の範囲】
【請求項１】
貯水容器と、該容器上部に備えた合成樹脂製給水管と、排水管と、該排水管の上部を薄肉の盲管に成型した後、カッターナイフ等で切り割りを入れて成型した逆止弁とを備え構成され、前記切り割り部位置にくびれを付けて、更に薄く成型したことを特徴とする貯水容器用逆止弁。
【請求項２】
前記、逆止弁上部に薄肉のヒレを突出して備え、該ヒレを前記排水管に圧入した排水用連結ホースの内壁に圧接させたことを特徴とする請求項１に記載する貯水容器用逆止弁。
【発明の詳細な説明】
【０００１】
【発明の属する技術分野】
本発明は、水道水を貯水容器に直結して常に新鮮な水を確保しておける災害対策器具と、花壇の散水等に利用するなどの常用器具を併用して用いるようにした貯水用容器の逆止弁に関する。
【０００２】
【従来の技術】
従来は特開２０００−２９７８６８で見られるように、配管の中に弁を組み込んだ方式が用いられていて、吐出口の上に弁が被さる構成をとっていた。
【０００３】
【発明が解決しようとする課題】
しかし、そのような方法では吐出口の上に弁が被さる構成であるため、吐出口面積が小さくなり排水量を減少されると共に、弁と吐出口とのあいだに隙間が生じる欠点を有していた。また、水圧により塑性変形を起こし前記隙間が経年変化により拡大する恐れがあった。一方、市場では吐出口面積が大きくて、常時は弁と吐出口との間が密着されている逆止弁が望まれていた。
【０００４】
そこで、本発明者は貯水容器用の逆止弁において、前記課題を解消させるため吐出口面積を大きくし、弁を常時、閉じた状態にする機能を追加した簡易的な貯水容器用逆止弁を提供するべく鋭意研究を重ねた結果本発明に至ったのである。
【０００５】
【課題を解決するための手段】
本発明に係る貯水容器用逆止弁の要旨とするところは、排水管の上部を薄肉の盲管にし、切り割り部位置にくびれを付けて更に薄く成型した後、くびれ部にカッターナイフ等で切り割りを入れて逆止弁を成型したことにある。
【０００６】
また、本発明に係る貯水容器用逆止弁において、逆止弁上部に薄肉のヒレを突出して備え、該ヒレを前記排水管に圧入した排水用連結ホースの内壁に圧接させて弁を常時閉じた状態にしたことにある。
【０００７】
【発明の実施の形態】
本発明に係る貯水容器用逆止弁は、貯水容器の配管具取付ネジ上面のシール面にゴムパッキンを挟んで、その上に取付けられる。排水管の上部は薄肉の盲管に成型し、その下部の切り割り部位置にくびれを付けて更に薄く成型した後、弁の開閉のためのヒンジ部を残し、くびれ部にカッターナイフ等で切り割りを入れて逆止弁を成型したため、前記くびれが付いた薄肉の切り割り部はカッターナイフ等で簡単に切り割り加工できる。また、切り割り加工時にかかる応力による変形や、切り割り面の蛇行などの成型による加工ミスがなくなる。上記により本逆止弁に容器から流入した水道水の水圧により盲管部が開き排水する。また、水道水が止水されているときは水圧がかからないため逆止弁は盲管状態に戻り水の逆流を防止する。また、連結ホースを圧入するだけでタンクとの配管は完了する。
【０００８】
また、逆止弁上部に薄肉のヒレを突出して備え、該ヒレを前記排水管に圧入した排水用連結ホースの内壁に圧接させて、弁を常時、閉じた状態にした本発明の逆止弁は、容器から排出された水圧により前記薄肉ヒレがたわみ盲管部の弁が開き排水する。しかし、水道水が止水されると逆止弁に水圧がかからないため薄肉ヒレは元の状態に戻り、盲管状態になり水の逆流を防止する。
【０００９】
【実施例】
次に、本発明に係る貯水容器用逆止弁の実施例について、図面に基づいて詳しく説明する。
【００１０】
図１、図２及び図３において、符号１は本発明に係る貯水容器用逆止弁の付いた配管具である。この配管具１は、貯水容器２と、該容器上部に備えた配管具取付用ネジ上面のシール面３にゴムパッキン４を挟んで、その上に取付けられる。この配管具１は注水用管５と、排水用管６とからなる。逆止弁７は、排水用管６の上部を薄肉の盲管８に成型してその盲管の根元部に切り割りを入れ形成している。また、前記切り割り部位置にくびれ９をつけて、さらに薄肉に成型している。１０はカッターナイフ等で加工した切り割りである。１１は給水用連結ホースである。１２は排水用連結ホースである。１３は容器内導水管である。尚、配管具の材質は特に限定されるものではないが、貯水容器の材質に適合させるため、ポリエチレン樹脂、またはポリプロピレン樹脂等を使用するのが好ましい。また、連結ホースは軟質塩ビ材、またはポリエチレン樹脂等を使用し配管具に圧入して接合させている。前記注水用管５と、排水用管６は貯水容器２に別個の配管穴を設け分離して取付けても良い。
【００１１】
前記逆止弁７の上部には弁と一体に突出して備えた薄肉のヒレ１４を形成させ、そのヒレ先端が排水用連結ホース１２の内壁に圧接させて備えられる。
【００１２】
このような逆止弁７は、排水用管６に合成樹脂製で一体に成型されて配管具１を形成し、貯水容器２にゴムパッキン４を挟んで、その上に取付けられるため、逆止弁の接合部は吐出口の切り口の上に弁が形成されているため、吐出口面積を最大限に大きく取ることが出来、弁と吐出口とのあいだに隙間が生じることもなくなる。また、逆止弁７上部には弁と一体に突出して薄肉のヒレ１４を形成させているので、該ヒレ先端を排水用連結ホース１２の内壁に圧接させて弁を強制的に閉じているので、水圧により塑性変形を起こし前記隙間が経年変化により拡大する心配も解消する。また、薄肉の盲管部８は排水用連結ホース１２と薄肉になった部分（イ）に隙間が出来たため、タンクから流人された水圧により盲管部が開き排水する際、排水用連結ホース１２と薄肉の旨管部８がせり合って開きにくくなることはない。また、水道水を注入すると水圧により切り割のないヒンジ部を支点に逆止弁７を押し上げ樹脂の弾性力によって変形し弁を開ける。水道水が止水されると水圧がかからないため盲管状態に戻り水の逆流を防止すると共に外部からの小動物の侵入を防止することが出来る。
【００１３】
【発明の効果】
本発明に係る貯水容器用逆止弁によれば、排水管の上部に薄肉のくびれ部を設けヒンジ部を残し、カッターナイフ等で切り割りを入れて成型したため、くびれが付いた薄肉部の切り割り加工性を向上させ、加工時の応力による変形や、成型による加工ミスを減少させる。また、弁の上部に弁と一体に突出して備えた薄肉のヒレにより弁を強制的に閉じているので水圧により塑性変形を起こしたり、隙間が経年変化により拡大することもない。配管の接続も簡素にでき、素人でも容易に作業できるようになるため家庭用災害対策器具と、花壇の散水に利用するなどの常用器具を併用して用いる簡易的な貯水用ポリエチレン製貯水容器用逆止弁に適したものとなる。
【図面の簡単な説明】
【図１】本考案に係る貯水容器用逆止弁の実施例を示す平面図である。
【図２】本考案に係る貯水容器用逆止弁の実施例を示す要部拡大断面図である。
【図３】本考案に係る貯水容器用逆止弁の実施例を示す要部断面図である。
【図４】本考案に係る貯水容器用逆止弁の実施例を示す外観図である。
【符号の説明】
６  排水用管
７  貯水容器用逆止弁
８  薄肉の盲管
９  切り割り部位置に付けたくびれ
１０  カッターナイフ等で加工した切り割り
１４  逆止弁上部に一体に突出して備えた薄肉のヒレ
【図１】
2004347102.tif 000003
【図２】
2004347102.tif 000004
【図３】
2004347102.tif 000005
【図４】
2004347102.tif 000006